(57)【特許請求の範囲】
【請求項１】
積層された上階ユニットおよび下階ユニットが上下に連通されたユニット積層構造であって、前記上階ユニットの下面および前記下階ユニットの上面は、前記上階ユニットと前記下階ユニットとを連通する連通部と、前記上階ユニットと前記下階ユニットとを遮断する遮蔽部とからなり、前記上階ユニットの下面および前記下階ユニットの上面の前記遮蔽部にはそれぞれブレースが設けられ、前記上階ユニットおよび下階ユニットは、四本の柱と、この柱の上端間を連結する上梁と、前記柱の下端間を連結する下梁とを含む箱型の骨組みを有し、前記ブレースは、前記上階ユニットの下梁間の前記遮蔽部を構成する領域および前記下階ユニットの上梁間の前記遮蔽部を構成する領域にそれぞれ対角線状に架け渡される架設材を含んで構成され、前記上階ユニットの前記下梁間には、前記遮蔽部を構成する複数の根太が架け渡され、前記架設材はこれらの根太の下側に配置され、前記根太の下面には凹部が設けられ、前記架設材は前記凹部内に収納配置され、前記凹部は、前記根太の下面の両端部を除く全面にわたって設けられ、前記根太の両端部はそれぞれ断面コ字型に形成された前記下梁の開口部に嵌り込むことを特徴とするユニット積層構造。
【請求項２】
請求項１に記載したユニット積層構造において、前記連通部を介して連通された前記上階ユニットおよび前記下階ユニットの内部空間は、吹き抜けとされていることを特徴とするユニット積層構造。
【発明の詳細な説明】
【０００１】
【発明の属する技術分野】
本発明は、ユニット積層構造に関し、詳しくは、積層された上階ユニットおよび下階ユニットが上下に連通されるユニット積層構造に関する。
【０００２】
【背景技術】
近年、工業化率を高めて建設現場での施工期間を短縮するために、複数の建物ユニットを予め工場で製造し、これらを建設現場で組み合わせて建物を構築するユニット工法が用いられている。
ユニット工法により建てられるユニット式建物には、エレベータや階段等を設置するために、上階ユニットおよび下階ユニットを上下に貫通する吹き抜けが設けられることがある。
【０００３】
例えば、図３に示すように、吹き抜け４０は、上階ユニット１０の下面１２および下階ユニット２０の上面２１を開口させて連通部４１Ａ，４１Ｂを形成し、この連通部４１Ａ，４１Ｂを介して各ユニット１０，２０の内部空間を連通させることにより形成されている。上階ユニット１０の下面１２および下階ユニット２０の上面２１のうち連通部４１Ａ，４１Ｂを除く部分は、上階ユニット１０と下階ユニット２０と遮断する遮蔽部４２Ａ，４２Ｂとされている。
【０００４】
これらの上階ユニット１０および下階ユニット２０は、四本の柱３１、これらの柱３１の上端間を連結する上梁３２および柱３１の下端間を連結する下梁３３を含む直方体形状の骨組み３０を備えている。上階ユニット１０の下梁３３間には、遮蔽部４２Ａである上階の床を構成する複数の根太６５が架設され、下階ユニット２０の上梁３２間には、遮蔽部４２Ｂである下階の天井を構成する複数の小梁３４が架設されている。
なお、下階ユニット２０の下梁３３間には、通常の建物ユニットと同様に下階の床を構成する複数の根太６５が架設されている。
上階ユニット１０の上梁３２間には、通常の建物ユニットと同様に上階の天井を構成する複数の小梁３４が架設されるとともに対角状のブレース５０が設けられている。一方、下階ユニット２０の上梁３２間には、その遮蔽部４２Ｂである下階の天井を構成する領域だけにブレース５０が設置されている。
【０００５】
【発明が解決しようとする課題】
一般の建物ユニットでは、上梁間にはブレースが対角線状に架設され、これにより建物ユニットの歪みが防止されている。
しかし、吹き抜け４０が設けられた下階ユニット２０の上梁３２間には遮蔽部４２Ｂにしかブレース５０が設けられていないため、下階ユニット２０およびこの下階ユニット２０に積層される上階ユニット１０を含む建物の剛性は、通常の吹き抜けのない建物ユニットを用いた場合よりも低下してしまう。このため、吹き抜け４０を備えたユニット式建物は設計の自由度が制限されるという問題があった。
【０００６】
本発明の目的は、設計の自由度を高められるユニット積層構造を提供することにある。
【０００７】
【課題を解決するための手段】
図面を参照して説明すると、本発明は、積層された上階ユニット１０および下階ユニット２０が上下に連通されたユニット積層構造であって、前記上階ユニット１０の下面１２および前記下階ユニット２０の上面２１は、前記上階ユニット１０と前記下階ユニット２０とを連通する連通部４１Ａ，４１Ｂと、前記上階ユニット１０と前記下階ユニット２０とを遮断する遮蔽部４２Ａ，４２Ｂとからなり、前記上階ユニット１０の下面１２および前記下階ユニット２０の上面２１の前記遮蔽部４２Ａ，４２Ｂにはそれぞれブレース５０が設けられ、前記上階ユニット１０および下階ユニット２０は、四本の柱３１と、この柱３１の上端間を連結する上梁３２と、前記柱３１の下端間を連結する下梁３３とを含む箱型の骨組み３０を有し、前記ブレース５０は、前記上階ユニット１０の下梁３３間の前記遮蔽部４２Ａを構成する領域および前記下階ユニット２０の上梁３２間の前記遮蔽部４２Ｂを構成する領域にそれぞれ対角線状に架け渡される架設材５１を含んで構成され、前記上階ユニット１０の前記下梁３３間には、前記遮蔽部４２Ａを構成する複数の根太３５が架け渡され、前記架設材５１はこれらの根太３５の下側に配置され、前記根太３５の下面には凹部３６が設けられ、前記架設材５１は前記凹部３６内に収納配置され、前記凹部３６は、前記根太３５の下面の両端部を除く全面にわたって設けられ、前記根太の両端部はそれぞれ断面コ字型に形成された前記下梁の開口部に嵌り込むことを特徴とする。
【０００８】
本発明では、下階ユニット２０の上面２１の遮蔽部４２Ｂだけでなく上階ユニット１０の下面１２の遮蔽部４２Ａにもブレース５０を設置するため、この上階ユニット１０のブレース５０により上階ユニット１０および下階ユニット２０が補強されて従来よりも剛性が高められるようになる。従って、他の建物ユニットや他の吹き抜けを構成する吹き抜けユニット等と任意に組み合わせてユニット式建物を構成できるようになり、設計の自由度を高めることができる。これにより前記目的が達成される。
【０００９】
本発明では、前記上階ユニット１０および下階ユニット２０は、四本の柱３１と、この柱３１の上端間を連結する上梁３２と、前記柱３１の下端間を連結する下梁３３とを含む箱型の骨組み３０を有し、前記ブレース５０は、前記上階ユニット１０の下梁３３間の前記遮蔽部４２Ａを構成する領域および前記下階ユニット２０の上梁３２間の前記遮蔽部４２Ｂを構成する領域にそれぞれ対角線状に架け渡される架設材５１を含んで構成されている。
【００１０】
このように架設材５１を上梁３２間および下梁３３間に対角状に架け渡してブレース５０を構成すれば、上階ユニット１０および下階ユニット２０の各骨組み３０を確実に補強することができる。
【００１１】
本発明では、前記上階ユニット１０の前記下梁３３間には、前記遮蔽部４２Ａを構成する複数の根太３５が架け渡され、前記架設材５１はこれらの根太３５の下側に配置されている。
これにより、架設材５１が根太３５の上側に突出することがなくなるので、根太３５の上面には床材等を従来どおりに張ることができる。
【００１２】
本発明では、前記根太３５の下面には凹部３６が設けられ、前記架設材５１は前記凹部３６内に収納配置されている。
これにより、根太３５の下側に架設材５１が突出することがなくなり、上階ユニット１０の下階ユニット２０との積層や接合を円滑に行うことができる。
【００１３】
本発明では、前記凹部３６は、前記根太３５の下面の両端部を除く全面にわたって設けられている。
このように凹部３６を設けるので、架設材５１の配置や角度に拘わらず架設材５１を確実に凹部３６内に収納配置できるようになる。また、架設材５１の配置等に応じて各根太３５毎に凹部３６の位置を設定する必要がなくなり、根太３５を共通化できる。
【００１４】
そして、前記連通部４１Ａ，４１Ｂを介して連通された前記上階ユニット１０および前記下階ユニット２０の内部空間は、吹き抜け４０とされていることが望ましい。
このようにすれば、上階ユニット１０および下階ユニット２０を積層して建物に組み込むだけで、建物内の所望の位置に吹き抜け４０を形成できるようになり、階段やエレベータ等を任意の位置に設置できる。
【００１５】
【発明の実施の形態】
以下、本発明の一実施形態を図面に基づいて説明する。
なお、以下の説明にあたって、前述した図３と同じ構成要素については同一符号を付し、その説明を省略もしくは簡略化する。
図１には、本実施形態の上階ユニット１０および下階ユニット２０が示されている。連通部４１Ａ，４１Ｂを介して連通された上階ユニット１０および下階ユニット２０の内部空間は吹き抜け４０とされている。この吹き抜け４０は、例えば、エレベータ階段等の設備の設置に利用してもよく、或いは玄関等に利用してもよく、その用途は任意である。
【００１６】
上階ユニット１０の下面１２を構成する下梁３３間には、遮蔽部４２Ａ（上階の床）を構成する領域にブレース５０が設けられている。このブレース５０は、下梁３３間に対角線状に架け渡された架設材５１を含んでいる。なお、上階ユニット１０の上梁３２間および下階ユニット２０の上梁３２間に設置されたブレース５０も同様な構造を備えている。
【００１７】
図２に示すように、上階ユニット１０の下梁３３間に架け渡された根太３５は、それぞれ下面に凹部３６を有し、架設材５１はこの凹部３６内に収納配置されている。凹部３６は、各根太３５の下面の両端部を除く全面にわたって設けられている。
【００１８】
このように構成された本実施形態では、上階ユニット１０および下階ユニット２０の製造時にブレース５０を架設しておき、建設現場において上階ユニット１０と下階ユニット２０とを積層し、図示しないブラケットを介してこれらを接続固定する。
【００１９】
このような本実施形態によれば、以下のような効果がある。
すなわち、下階ユニット２０の上面２１の遮蔽部４２Ｂ（下階の天井）だけでなく上階ユニット１０の下面１２の遮蔽部４２Ａ（上階の床）にもブレース５０を設置したため、この上階ユニット１０のブレース５０により上階ユニット１０および下階ユニット２０が補強されて従来よりも剛性が高められるようになる。従って、他の建物ユニットや他の吹き抜けを構成する吹き抜けユニット等と任意に組み合わせてユニット式建物を構成できるようになり、設計の自由度を高めることができる。
【００２０】
また、架設材５１を上梁３２間および下梁３３間に対角状に架け渡してブレース５０を構成したので、上階ユニット１０および下階ユニット２０の各骨組み３０を確実に補強することができる。
【００２１】
また、架設材５１を上階ユニット１０の根太３５の下側に設置するので、根太３５の上面には床材等を従来どおりに張ることができる。
さらに、上階ユニット１０の下梁３３間に架設される根太３５は下面に凹部３６を有し、この凹部３６内に架設材５１を収納配置したため、根太３５の下方に架設材５１が突出することがなくなり、上階ユニット１０の下階ユニット２０との積層や接合を円滑に行うことができる。
【００２２】
そして、凹部３６を根太３５の下面の両端部を除く全面にわたって設けたので、架設材５１の配置や角度に拘わらず架設材５１を確実に凹部３６内に収納配置できる。また、架設材５１の配置等に応じて各根太３５毎に凹部３６の位置を設定する必要がなくなり、根太３５を共通化できる。
【００２３】
さらに、連通部４１Ａ，４１Ｂを介して連通された上階ユニット１０および下階ユニット２０の内部空間は吹き抜け４０とされているため、上階ユニット１０および下階ユニット２０を積層して建物に組み込むだけで、建物内の所望の位置に吹き抜け４０を形成できるようになり、階段やエレベータ等を任意の位置に設置できる。
【００２４】
なお、本発明は前記実施形態に限定されるものではなく、本発明の目的を達成できる他の構成等を含み、以下に示すような変形なども本発明に含まれる。
すなわち、前記実施形態では、上階ユニット１０および下階ユニット２０の二つを積層して二つのユニット１０，２０を貫通する吹き抜け４０を設けたが、三つ以上積層して三つ以上のユニットを貫通する吹き抜け４０を形成してもよい。例えば、本実施形態の上階ユニット１０上に他の建物ユニットを積層して三つのユニットに跨る吹き抜けを形成する場合には、最上層の他の建物ユニットの下面の遮蔽部にブレースを設ければよい。
【００２５】
また、連通部４１Ａ，４１Ｂの大きさ（平面形状）は、例えば、上階ユニット１０の下面１２および下階ユニット２０の上面２１の1／3としてもよく、或いは2／3であってもよく、遮蔽部４２Ａ，４２Ｂにブレース５０が設けられていれば連通部４１Ａ，４１Ｂの大きさは任意である。
【００２６】
【発明の効果】
以上に述べたように、本発明によれば、下階ユニットの上面の遮蔽部だけでなく上階ユニットの下面の遮蔽部にもブレースを設置するため、この上階ユニットのブレースにより上階ユニットおよび下階ユニットが補強されて従来よりも剛性が高められるようになる。従って、他の建物ユニットや他の吹き抜けを構成する吹き抜けユニット等と任意に組み合わせてユニット式建物を構成できるようになり、設計の自由度を高めることができる。
【図面の簡単な説明】
【図１】本発明の一実施形態を示す分解斜視図。
【図２】図１のII-II線断面図。
【図３】従来のユニット積層構造を示す分解斜視図。
【符号の説明】
１０  上階ユニット
２０  下階ユニット
３０  骨組み
３１  柱
３２  上梁
３３  下梁
３５  根太
３６  凹部
４０  吹き抜け
４１Ａ，４１Ｂ  連通部
４２Ａ，４２Ｂ  遮蔽部
５０  ブレース
５１  架設材
【図１】
0003734310.tif 000002
【図２】
0003734310.tif 000003
【図３】
0003734310.tif 000004